【手続補正書】
【提出日】平成18年10月27日(2006.10.27)
【手続補正１】
【補正対象書類名】明細書
【補正対象項目名】０００６
【補正方法】変更
【補正の内容】
【０００６】
【発明の実施の形態】
図１と２を参照すると、固定装置は、全体的に符号１０で示されていて、頭部１４を有するボルト１２を備えている。ボルト１２は、ネジが切られた軸（ｔｈｒｅａｄｅｄ  ｓｈａｎｋ）１６を有していて、その上にナット装置１８がねじ込まれる。  
ナット装置１８は、典型的には六角形の側部として設けられた平らな平坦部２２と、軸１６に対応したねじ山形状を有する本体部２０を備えている。  
本体部２０の下端部は、ほぼ平坦な端面２８を有するスカート部２６を提供するように拡大している。  
スカート部２６の上面２９は、平坦部から平坦部まで高い方と低い方との間で交互な高さの環状帯（ｆｉｌｌｅｔ）３１で平坦部２２を横切っている。
【手続補正２】
【補正対象書類名】明細書
【補正対象項目名】０００７
【補正方法】変更
【補正の内容】
【０００７】
保持部（ｃａｇｅ）３０は、端面２８に隣接していて、底壁３２を有している。底壁３２は、端面２８から離間して内方へ向けられた面３３を有している。中央の開口部３５は、ボルト１２を収容するために設けられている。周面の側壁３４は拡がったスカート部２６に向かって軸線的に延びていてスカート部２６を越えている。  
保持部３０は、比較的硬い底壁３２と、より延性の側壁３４とからなる異なった物理的特性の２つの領域を備えるように熱処理されている。側壁３４の上端部は、スカート部２６の傾斜した上面に重なるように、径方向内方へ局部的に変形されていて、保持部３０と本体部２０との間の相対的移動を制限する。側壁の延性によって促進される局部的変形は、６つの均一に離間して設けられ符号３７で示された位置を有していて、これは、保持部３０と本体部２０との間の径方向の保持と同様周囲の当接を提供する。  
ワッシャー３６は、保持部３０と本体部２０との間に介挿されていて、各、端面２８に向けられたものと、内方の面３３へ向けられたものとの１対の反対側に向けられた面３８、４０を有している。図３に最良のものが示されているが、対になる面２８、３８および３３、４０は、各符号４２、４２’および４４、４４’で示された相補的なカム面を有して形成されている。
【手続補正３】
【補正対象書類名】明細書
【補正対象項目名】０００９
【補正方法】変更
【補正の内容】
【０００９】
カム面４４、４４’はまた、カム面４２のファセット４６と類似しているが、ファセット４６に関して反対方向に向けられた平行で平坦なファセット５０の列を有する。ファセット５０の数は、ファセット４６よりも多いが、ファセット５０を相互接続するリッジ５２の集合的高さは類似している。したがって、各リッジ５２の高さは、リッジ４８の高さよりも低い。カム面４２、４２’は、それゆえ比較的粗く、カム面４４、４４’は比較的細かい。複数のカム面４４は、振動がなされる場合に、保持部３０とワッシャー３６との間の相対的回転を阻止するために協働する。これは、カム４２がナット１７と協働し、ナット１７の緩むのを阻止する。
【手続補正４】
【補正対象書類名】明細書
【補正対象項目名】００１２
【補正方法】変更
【補正の内容】
【００１２】
ナット装置１８は、ワッシャー３６を、保持部３０とワッシャー３６に設けられた本体部２０内に挿入することによって予め組み立てられる。側壁３４はついで、拡大したスカート部２６の上面２９を重ねるために、径方向に配置される。側壁の延性は移動を促進するのに対し、下方の面が硬化された支持面を維持することを可能にする。好ましくは、側壁が径方向に移動される位置の数は、ナットの捩じり平坦部の数と類似しているけれども、これは、環境に依存してそれよりも多くかまたは少なく変更することもできる。制限された軸線的移動は、保持部３０が本体部２０に関して回転するように、保持部３０と本体部２０との間に設けられている。ナットフランジで利用可能な比較的高い高さと付加された輪（ｈｏｏｐ）の強度は、標準的ナットよりも３０％以上の強度を提供することが分かった。
【手続補正５】
【補正対象書類名】明細書
【補正対象項目名】００１３
【補正方法】変更
【補正の内容】
【００１３】
図２において、（Ａ）と（Ｂ）で示された一対の構成要素を締結するために、ボルト１２は、２つの構成要素の整列された開口部とスカート部２６にねじ込まれたナット装置１８を通って通過される。保持部３０の下面が構成要素（Ａ）の上面を係合するので、カム面４２、４２’と４４、４４’は、ワッシャー３６、保持部３０および本体部２０を結合して回転するために係合される。リッジ４８は、本体部２０、ワッシャー３６および保持部３０間のトルク伝達を提供し、また、リッジ４８のほぼ軸線的な配置により、相対的な軸線的分離は生じない。
【手続補正６】
【補正対象書類名】明細書
【補正対象項目名】００１４
【補正方法】変更
【補正の内容】
【００１４】
ナット装置１８は、図１２と１３とに示された工具６０によって、２つの構成要素（Ａ）と（Ｂ）とを保持するために必要なトルクで締められる。  
それ故図１２を参照すると、工具６０は、従来の回転駆動装置および内部ソケット６４に接続される円筒状のバレル６２を有する。ソケットは、本体部２０上にすべり嵌め（ｓｎｕｇ  ｆｉｔ）するように平坦部２２に対応する内面６６を有している。  
小穴接ぎ（ｒａｂｂｅｔ）６６は、バレル６２の下方の端部に形成されていて、バレル６２の下方の端部が保持部３０の側壁３４内に嵌合するように寸法が定められている。小穴接ぎ６６の軸線的壁６８は、局部的変形部３７の寸法と対応し、それと離間した凹部７０を有している。
【手続補正７】
【補正対象書類名】明細書
【補正対象項目名】００１５
【補正方法】変更
【補正の内容】
【００１５】
図１３に示されたように、面６６の下方の端部７２は、環状帯３１の高さの変化に対応した千鳥状を有する「低」と「高」との間で交互になるように互い違いになっている。環状帯の高さの違いは、凹部７０の軸線的範囲より大きくなるように選択されているので、「高い」端部が持ち上げられた環状帯３１と係合した場合、凹部７０は変形部３７を係合しない。  
この位置において、図１３に示されたように、本体部２０は保持部３０と相対的に自由に回転し、ナットが締められるようにする。  
使用において、ボルト１２がその上に委ねられた軸線的負荷によって延びた場合、保持部３０と本体部２０との間の相対的回転は、リッジ４８を係合するようにし、また向き合った面のファセット４６を互いに横断して摺動するようにする。これは、軸１６の本体部２０の対応する回転によって与えられる軸線的移動よりも大きい面間の軸線的移動を促進する。このようにして、構成要素間に結合または相互干渉が与えられ、故意でない分離が阻止される。
【手続補正８】
【補正対象書類名】明細書
【補正対象項目名】００１６
【補正方法】変更
【補正の内容】
【００１６】
ナット装置１８を取り外すために工具６０が使用されるが、「高い」下方の端部７２は低い環状帯３１と整列される。この位置において、凹部７０は、局部的変形部３７を係合し、トルクをそれらに伝達する。本体部２０と保持部３０とは、一体的に回転され、ボルトから取り外される。凹部７０と変形部３７とは、本体部２０の最初の回転の際、整列するようにされる。そのような回転は、カム面４２、４４の相対的移動によって調整される。
【手続補正９】
【補正対象書類名】明細書
【補正対象項目名】００１７
【補正方法】変更
【補正の内容】
【００１７】
他の実施例が図５に示されていて、類似した構成要素は、識別するためにサフックス（ａ）を付した類似する参照符号によって示されている。図５に示された実施例において、本体部２０は、拡大された孔３５ａと保持部３０ａとを通って通過する円錐状の突起部５１を有して形成されている。円錐状の突起部５１は、軸１６Ａのネジ部用にクリーニング端部を提供する１対の軸線的スロット５４を有している。円錐状の突起部は、適切な方法で構成要素Ａの固定装置へのセンタリングを可能にする。
【手続補正１０】
【補正対象書類名】明細書
【補正対象項目名】００１８
【補正方法】変更
【補正の内容】
【００１８】
さらに他の実施例が図６に示されていて、類似した構成要素は、識別するためにサフックス「ｂ」を付した類似する参照符号によって示されている。図６に示された実施例において、円錐状の突起部５１ｂはスロット５４ｂが設けられている。ワッシャー３６は、保持部３０ｂのカム面４２ｂと係合する本体部２０ｂのカム面４２ｂを有する２つの部品組み立てを提供するために省略されている。
【手続補正１１】
【補正対象書類名】明細書
【補正対象項目名】００１９
【補正方法】変更
【補正の内容】
【００１９】
図５と図６の各実施例において、軸線的スロット５４ｂは、所望であれば省略される。  
図１から３に示された構成は、ナット１７、ワッシャー３６および保持部３０を有しているので、３部品構成として参照される。２部品構成もまた図７と８とに示されたように製造でき、この場合ワッシャー３６は除去されるので、ナット１７のカム面４２と保持部３０の内底面のカム面４４とは係合する。それぞれは、互いに相補的な反対側に向けられた粗い（ｃｏａｒｃｅ）カムを有して製造される。
【手続補正１２】
【補正対象書類名】明細書
【補正対象項目名】００２０
【補正方法】変更
【補正の内容】
【００２０】
この場合において、保持部３０ｃは、保持部３０ｃの外側底部の径方向の面に関して１５°の角度をなす細かい鋸歯状部（ｓｅｒｒａｔｉｏｎ）５５を有している。鋸歯状部５５は、保持部３０ｃの内側底部に配置されたファセット４６ｃに対して反対側に向けられている。鋸歯状部５５は、加工物（Ａ）と係合し、保持部３０ｃが移動するのを停止し、それによって粗いカムを上へ移動するようにしナット１７をロックする。鋸歯状部５５の効果は図１４からわかる。鋸歯状部５５が有るのと鋸歯状部が無いのとの１対の類似したナット装置は、ジャンカー（Ｊｕｎｋｅｒ）振動試験装置で試験された。引っ張り力はその期間中監視された。図１４から分かるように、鋸歯状部の無いナット装置は、ナットがボルト上で滑るのを示すように、比較的短い時間で引っ張り力を失った。それに反して、引っ張り負荷を維持された鋸歯状部を有するナット装置は、保持部が加工物で回転するのを阻止する鋸歯状部の効果を示している。  
上記各実施例において六角形の本体部が示されているが、長手方向の溝を有するバレル（ｂａｒｒｅｌ）状のナットまたは他の一般的に利用可能な形状のような、ナットの他の形状を使用することもできることが理解できる。
【手続補正１３】
【補正対象書類名】明細書
【補正対象項目名】００２１
【補正方法】変更
【補正の内容】
【００２１】
さらに他の実施例が図９に示されていて、粗いカムは、ボルト５６の頭部のフランジの下に形成されている。ボルト５６は、ナット１７を、上記図２と３に関して述べたような、カム面４２ｄと保持部３０ｄとの間に介挿されたワッシャー３６ｄを有する図１と２の３部品構成に本質的に置き換える。ナット１７のように、フランジボルト５６はまた２部品構成に使用することができる。そのような構成において、粗いカム４２ｄは、保持部の底壁に設けられ反対に向けられた粗いカム４４ｄを係合するために、フランジボルト５６の下側に設けられる。
【手続補正１４】
【補正対象書類名】明細書
【補正対象項目名】００２２
【補正方法】変更
【補正の内容】
【００２２】
図９に示された構成はまた、ドーム状の頭部またはソケット状の頭部のボルトのような、ボルト頭部の他の形状とも利用される。これは図１０に示されていて、保持部３０ｅは、局部的変形部３７を有するドーム状の本体部５６ｅに保持されている。本体部５６ｅは、六角形のレンチキーを受けるために中央位置に形成されたソケット５８を有している。  
ワッシャー３６ｅは、上述したように、１対のカム面４２ｅ、４４ｅを提供するように保持部３０ｅと本体部５６ｅの下側との間に介挿されている。
【手続補正１５】
【補正対象書類名】明細書
【補正対象項目名】００２３
【補正方法】変更
【補正の内容】
【００２３】
上述した固定装置はまた、図１１に示されたような張力制御ボルトシステムのような他の固定装置システムと使用される。そのようなシステムと共に、軸１６ｆは、スプライン（ｓｐｌｉｎｅ）された先端部７８を有して形成されていて、トルクはナットをボルト１２ｆに締結するために、先端部７８とナット１７ｆとの間に適用される。図１１に示されたように、ナット装置１８ｆは、上述の図２に示されたものと同様の形状を有していて、それゆえ自己ロック装置として作用する。ナット１７ｆへの設計トルクの応用に際し、先端部７８は、更なる締結を阻止するために軸１６ｆから切り取られる。それに続く除去は、上述したように達成することができる。
【手続補正１６】
【補正対象書類名】明細書
【補正対象項目名】００２４
【補正方法】変更
【補正の内容】
【００２４】
ナット装置１８ｆの使用は、振動下のナット１７ｆの回転を阻止するので、それによってボルト１２ｆの負荷を維持する。ボルト１２ｆの正確な負荷を確実にするために、ナットとワッシャーとが当接する領域は、保持部３０ｆの端面３２ｆの領域の５０％またはそれ以下であることが必要である。これは、カム面を使用し、締結中の摩擦抵抗を減少するためにカム面間に施された給油によって容易に達成される。  
３／４インチ（１９ｍｍ）のボルト直径用の代表的な応用において、端面３２ｆは、ほぼ４７ｍｍの外径と、ほぼ２４ｍｍのボルト穴間隙を有している。対象物と接触する環形は、それ故２３ｍｍの幅である。  
この実施例において、カム面４２ｆ、４４ｆは、ほぼ６ｍｍの径方向の拡がりを有している。それゆえ、領域の比率は、端面３２ｆのほぼ４０％である。
【手続補正１７】
【補正対象書類名】明細書
【補正対象項目名】００２５
【補正方法】変更
【補正の内容】
【００２５】
図１から７のナット装置は、盲孔に取着されたスタッド（ｓｔｕｄ）と有利に使用される。図１５に示されたように、ナット装置１０ｇは、図１から４に示されたものと同様、スタッド１２ｇにねじ込まれている。スタッド１２ｇは、反対側の端部８０、８２に１対のネジ部２４ｇを有しているが、これは、特定の応用に適するように、反対側でも、同じ側でも、または他の形状でもよい。一方の端部８０は、支持構造部８６の盲孔８４に収容されている。孔８４は、端部８０のネジ部と相補的なネジが切られているので、スタッドがねじ込まれる。  
スタッドは、ナット装置１８ｇを反対の端部にねじ込み、スタッドを盲孔８４内に駆動することによって装着される。ナット１７ｇは、支持構造部８６に保持されるために構成要素Ａ、Ｂに対してトルクが与えられる。ナット装置１８ｇは、ついでスタッド１２ｇを保持し、孔８４内に保持する。
【手続補正１８】
【補正対象書類名】明細書
【補正対象項目名】００２６
【補正方法】変更
【補正の内容】
【００２６】
図１５に示されたスタッドの配置は、図１１に示されたのと類似した張力制御スプラインされた先端部を使用した場合に特に有益である。図１６を参照すると、スプラインされた先端部７８は端部８０ｈに形成されていて、スタッド１２ｈを盲孔８４ｈ内に駆動するために使用でき、ついで、ナット装置８ｈに適用されるトルクを制御する。図７の実施例のナット装置は、同様に、ナット装置の保持を提供する鋸歯状部５５を有する図１５と１６に示されたスタッド配置と共に使用される。  
それゆえ、振動に対して必要な抵抗を提供し、同時に製造が比較的容易な、簡単ではあるが効果的な固定装置が開示されていることが分かる。
【手続補正１９】
【補正対象書類名】図面
【補正対象項目名】図１
【補正方法】変更
【補正の内容】
【図１】
2004500519.tif 000001
【手続補正２０】
【補正対象書類名】図面
【補正対象項目名】図２
【補正方法】変更
【補正の内容】
【図２】
2004500519.tif 000002